【手続補正書】
【提出日】平成27年4月16日(2015.4.16)
【手続補正１】
【補正対象書類名】特許請求の範囲
【補正対象項目名】全文
【補正方法】変更
【補正の内容】
【特許請求の範囲】
【請求項１】
手持ち式の蒸気送達デバイス向けの制御システムであって、
液体の所定の体積を完全に気化させるのに最小限必要な温度まで加熱要素を加熱するために過不足のない電力量を電源から提供し、一貫し且つ信頼性のある投与量を送達するために前記必要な温度で前記液体の所定の体積を完全に気化させるための前記過不足のない電力量を供給するように過不足のない持続時間を制御するように構成された回路を備える制御システム。
【請求項２】
前記回路がワンショット回路を備える、請求項１に記載の制御システム。
【請求項３】
前記回路が、前記加熱要素の抵抗を監視し、前記必要な温度まで前記加熱要素を加熱するのに十分なレベルに前記電力量を調整するようにプログラムされた処理装置をさらに備える、請求項１に記載の制御システム。
【請求項４】
前記回路が、前記必要な温度まで前記加熱要素を加熱するのに十分な前記レベルに前記電力量を調整するように前記電源に動作可能に接続されたＤＣ／ＤＣ昇圧変換器およびスーパーキャパシタを備える、請求項１に記載の制御システム。
【請求項５】
前記回路が、前記電源を所定の回数だけ作動させるように構成される、請求項１に記載の制御システム。
【請求項６】
ａ．第１の端部および第２の端部を有する筐体と、
ｂ．前記第１の端部に取り付けられたマウスピースと、
ｃ．流体送達システムと、
ｄ．前記マウスピースと前記流体送達システムとの間に加熱要素を備える気化システムと、
ｅ．前記液体の過不足のない体積を完全に気化させるのに必要な温度まで前記加熱要素を加熱するために過不足のない電力量を電源から提供し、前記必要な温度で前記液体の前記過不足のない体積を完全に気化させるための前記過不足のない電力量を供給するように過不足のない持続時間を制御するように構成された回路を備える電力制御システムと
を備える手持ち式の薬剤送達デバイス。
【請求項７】
前記制御システムがワンショット回路を備える、請求項６に記載の手持ち式の薬剤送達デバイス。
【請求項８】
前記回路が、前記加熱要素の抵抗を監視し、前記加熱要素が前記必要な温度に到達するまで前記電力を調整するようにプログラムされた処理装置を備える、請求項６に記載の手持ち式の薬剤送達デバイス。
【請求項９】
前記制御システムが、スーパーキャパシタに動作可能に接続されたＤＣ／ＤＣ昇圧変換器を備える、請求項６に記載の手持ち式の薬剤送達デバイス。
【請求項１０】
前記回路が、前記電源を所定の回数だけ作動させるようにプログラムされた処理装置を備える、請求項６に記載の手持ち式の薬剤送達デバイス。
【請求項１１】
前記電源がアルカリ電池である、請求項６に記載の手持ち式の薬剤送達デバイス。
【請求項１２】
前記流体送達システムが、
ａ．前記筐体の内側に位置し、第１の端部および第２の端部を有する流体リザーバと、
ｂ．前記流体リザーバの内側で前記第２の端部に位置決めされ、固定かつ個別の距離を開けて前記第１の端部の方へ徐々に前進し、前記流体リザーバからの液体の過不足のない体積を一貫して計測するように構成された圧力生成器とを備える、請求項６に記載の手持ち式の薬剤送達デバイス。
【請求項１３】
前記流体送達システムが、前記第１の端部で前記流体リザーバと流動的に連通しているキャップをさらに備え、前記キャップが、前記流体リザーバの反対側に出口を有し、前記流体リザーバに正の圧力が印加されると、前記流体リザーバの内側に貯蔵されている前記液体が前記出口から出て、前記出口に小滴を形成することができる、請求項１２に記載の手持ち式の薬剤送達デバイス。
【請求項１４】
前記小滴が前記出口上に位置しながら前記加熱要素に接触できるように、前記出口と前記加熱要素が、前記小滴より小さい距離だけ分離される、請求項１３に記載の手持ち式の薬剤送達デバイス。
【請求項１５】
前記圧力生成器が、
ａ．前記流体リザーバの内側に収容され、前記キャップを通って前記液体を押し出すように構成されたピストンと、
ｂ．前記ピストンに動作可能に接続された流体排出作動装置とを備え、前記流体排出作動装置を作動させることで、前記ピストンが前記固定かつ個別の距離で前記第１の端部の方へ前進する、請求項１３に記載の手持ち式の薬剤送達デバイス。
【請求項１６】
前記マウスピースと前記加熱要素との間に位置決めされた透過性の膜をさらに備え、前記透過性の膜が、所定の寸法の蒸気の分子に対して透過性を有する、請求項１２に記載の手持ち式の薬剤送達デバイス。
【請求項１７】
ａ．第１の端部および第２の端部を有する筐体と、
ｂ．前記第１の端部に取り付けられたマウスピースと、
ｃ．流体送達システムであって、
ｉ．前記筐体の内側に位置し、第１の端部および第２の端部を有する流体リザーバ、および
ｉｉ．前記流体リザーバの内側で前記第２の端部に位置決めされ、固定かつ個別の距離を開けて前記第１の端部の方へ徐々に前進し、前記流体リザーバからの液体の過不足のない体積を一貫して計測するように構成された圧力生成器を備える流体送達システムと、
ｄ．前記マウスピースと前記流体リザーバとの間に加熱要素を備える気化システムと、
ｅ．前記気化システムに電力を送達する制御システムと
を備える手持ち式の薬剤送達デバイス。
【請求項１８】
前記流体送達システムが、前記第１の端部で前記流体リザーバと流動的に連通しているキャップをさらに備え、前記キャップが、前記流体リザーバの反対側に出口を有し、前記流体リザーバに正の圧力が印加されると、前記流体リザーバの内側に貯蔵されている前記液体が前記出口から出て、前記出口に小滴を形成することができる、請求項１７に記載の手持ち式の薬剤送達デバイス。
【請求項１９】
前記小滴が前記開口で前記出口上に位置しながら前記加熱要素に接触できるように、前記出口と前記加熱要素が、前記小滴より小さい距離だけ分離される、請求項１８に記載の手持ち式の薬剤送達デバイス。
【請求項２０】
前記圧力生成器が、
ａ．前記流体リザーバの内側に収容され、前記キャップを通って前記液体を押し出すように構成されたピストンと、
ｂ．前記ピストンに動作可能に接続された流体排出作動装置とを備え、前記流体排出作動装置を作動させることで、前記ピストンが前記固定かつ個別の距離で前記第１の端部の方へ前進する、請求項１８に記載の手持ち式の薬剤送達デバイス。
【請求項２１】
前記マウスピースと前記加熱要素との間に位置決めされた透過性の膜をさらに備え、前記透過性の膜が、所定の寸法の蒸気の分子に対して透過性を有する、請求項１７に記載の手持ち式の薬剤送達デバイス。
【請求項２２】
手持ち式のデバイスからの液体の薬剤の過不足のない量を効率的かつ一貫して気化させる方法であって、
ａ．加熱要素への液体の過不足のない体積を一貫して計測するステップと、
ｂ．過不足のない持続時間にわたって前記加熱要素を加熱するための過不足のない電力量を電源から供給するステップであって、前記過不足のない電力量と前記過不足のない持続時間の組合せによって、前記液体の前記過不足のない体積を完全に気化させるのに最小限必要な時間にわたって最小限必要な温度まで前記加熱要素を加熱する、供給するステップとを含む方法。
【請求項２３】
前記液体の過不足のない体積を計測するステップが、
ａ．前記液体を流体リザーバ内に貯蔵するステップと、
ｂ．前記流体リザーバの内側で正の圧力の過不足のない量を印加して、前記流体の過不足のない体積を前記流体リザーバから排出するステップとを含む、請求項２２に記載の方法。
【請求項２４】
前記正の圧力の過不足のない量が、前記流体リザーバ内でプランジャを所定の距離で徐々に前進させることによって印加される、請求項２３に記載の方法。
【請求項２５】
前記プランジャを前記所定の距離で前進させることが、駆動ナットを回して固定の回転運動をさせることによって実現される、請求項２４に記載の方法。
【請求項２６】
前記駆動ナットを回すことが、ボタンを作動させることによって実現され、前記ボタンが、作動されるたびに前記駆動ナットを回して前記固定の回転運動をさせる、請求項２５に記載の方法。
【請求項２７】
前記過不足のない電力量を供給するステップが、前記電源を所定の回数で作動させるように処理装置をプログラムすることによって実現される、請求項２２に記載の方法。
【請求項２８】
前記過不足のない電力量を供給するステップが、
ａ．前記電力を供給しながら前記加熱要素の温度を監視するステップと、
ｂ．前記加熱要素の前記温度と所定の温度を比較するステップと、
ｃ．前記比較に基づいて前記過不足のない電力量が供給される前記過不足のない持続時間を調整するステップとを含む、請求項２２に記載の方法。
【請求項２９】
前記過不足のない電力量を供給するステップが、
ａ．前記電力を供給しながら前記加熱要素の温度を監視するステップと、
ｂ．前記加熱要素の前記温度と所定の温度を比較するステップと、
ｃ．前記比較に基づいて前記供給される電力量を調整するステップとを含む、請求項２２に記載の方法。
【請求項３０】
前記加熱要素の前記温度を監視するステップが、前記加熱要素内の抵抗を測定することによって実現される、請求項２９に記載の方法。
【請求項３１】
前記供給される電力量を調整するように前記電源および前記処理装置に動作可能に接続されたスーパーキャパシタをさらに備える、請求項２９に記載の方法。
【請求項３２】
前記電源がアルカリ電池である、請求項３１に記載の方法。
【請求項３３】
前記電力を供給するステップが、前記手持ち式デバイスのマウスピースに空気流を生じさせることによって起動される、請求項２２に記載の方法。
【請求項３４】
前記加熱要素と前記マウスピースとの間に透過性の膜を配置することによって、前記気化させる液体の蒸気の分子の寸法を制御するステップをさらに含み、前記透過性の膜が、所定の寸法の蒸気の分子のみに対して透過性を有する、請求項３３に記載の方法。
【請求項３５】
手持ち式の蒸気送達デバイス向けの制御システムであって、
ａ．液体の所定の体積を完全に気化させるのに最小限必要な温度まで加熱要素を加熱するために過不足のない電力量を電源から提供する手段と、
ｂ．前記必要な温度で前記液体の所定の体積を完全に気化させるための前記過不足のない電力量を供給するように過不足のない持続時間を制御する手段とを備える、制御システム。